(57)【要約】【課題】防臭性能を保持しつつ、流し台のシンク下部の収納部の容量を確保するのに好適で、しかも蛇腹管を用いることもなく床下配水管への接続が簡便な流し台シンク用の排水トラップを提供するものである。【解決手段】流し台シンク用の排水トラップは、ゴミ収容器収納部を排水トラップ本体上部に、封水部を排水トラップ本体下部に有し、封水部は、排水トラップ本体底部から上方に立ち上がる立ち上がり管部と、これに上方より覆いかぶさるように配設されるわん状の防臭器とからなる流し台シンク用の排水トラップにおいて、封水部は、その中心軸をゴミ収容器収納部の中心軸からずらして配設され、この封水部の立ち上がり管部の下端に一端が内方に中心軸をずらして垂直方向に第一排水管接続部が設けられ且つ他端が外方に向かって水平方向に第二排水管接続部が設けられている。【選択図】　　　　図４
2004052416.tif 000002
【特許請求の範囲】
【請求項１】
ゴミ収容器収納部を排水トラップ本体上部に、封水部を排水トラップ本体下部に有し、封水部は、排水トラップ本体底部から上方に立ち上がる立ち上がり管部と、該立ち上がり管部の上方より覆いかぶさるように配設されるわん状の防臭器とからなる流し台シンク用の排水トラップにおいて、封水部は、その中心軸をゴミ収容器収納部の中心軸からずらして配設され、この封水部の立ち上がり管部の下端に一端が内方に中心軸をずらして垂直方向に第一排水管接続部が設けられ且つ他端が外方に向かって水平方向に第二排水管接続部が設けられていることを特徴とする流し台シンク用の排水トラップ。
【請求項２】
上記排水トラップの中心軸線と第一排水管接続部の中心軸線との距離をＸとし、第二排水管接続部に９０度エルボを接続して下方に第三排水管接続部を形成し、排水トラップの中心軸線と該第三排水管接続部の中心軸線との距離をＹとし、略Ｙ＝２Ｘなる関係に第一、第三排水管接続部を配設することを特徴とする請求項１記載の流し台シンク用の排水トラップ。
【請求項３】
上記第一排水管接続部又は第三排水管接続部のいずれかに上下端に直管部からなり途中に傾斜部を設けた回転自在の配水管の上端を接続するとともに下端を床下配水管に接続することを特徴とする請求項１又は請求項２記載の流し台シンク用の排水トラップ。
【発明の詳細な説明】
【０００１】
【発明の属する技術分野】
本発明は、流し台シンク用の排水トラップに関するものである。さらに詳しくは、床下配水管に配水管を位置ずれなく直結して配設することのできる流し台シンク用の排水トラップに関するものである。
【０００２】
【従来の技術】
図７において、特開平２００１−３４２９号の流し台シンク用の排水トラップのように、流し台（２１）については、シンク（２２）の下部の収納部（２１ａ）の容量確保に向けて検討が進められている。その実現のためには、シンク（２２）の下方に位置する排水トラップ（２３）、並びに排水管（２９）がキーとなる。すなわち、排水トラップ（２３）を小型化し、排水管（２９）を流し台（２１）の奥側に配置することができれば、引出し等の収納部（２１ａ）の容量は拡大される。
【０００３】
しかし、前者については、立ち上がり管部（２７）と防臭器（２８）とからなる封水部（２５）に関し、立ち上がり管部（２７）の上端（２７ａ）から防臭器（２８）の下端（２８ａ）までの封水深さを５０ｍｍ以上とするという建築基準法上の規定がある。また、網カゴ等のゴミ収容器（２６）の容量を縮小すると、生ゴミ等の捕集量が低下する。従って、排水トラップ（２３）の小型化には自ずと限界がある。
後者については、それを可能とするために、排水口部（２２ａ）をシンク（２２）側に配置することが考えられている。しかしながら、それだけでは不十分であり、排水管（２９）そのものを流し台（２１）の奥側に配置するための工夫が必要とされた。
【０００４】
そこで、防臭性能を保持しつつ、流し台のシンク下部の収納部の容量を確保するのに好適な流し台シンク用の排水トラップとして、図８のような、流し台シンク用の排水トラップ（３１）では、排水トラップ本体の側部に向かう排水管接続管部（３２）の上部面（３２ａ）により排水トラップ本体の底面の一部を形成させ、これを封水部（３３）に備えた防臭器（３４）の下端部（３４ａ）付近に配置することができる。そして、この排水管接続管部（３２）の先端部を、上方に向かって膨出して開口径を拡大した径拡大部（３２ｂ）とし、その先端を排水トラップ本体の側部から側方に突出させたものがある。そして、ホースナット等の接続固定具（３３）により固定可能な長さまで先端部（３４ａ）の長さを短縮することができる。これは、シンクにおける排水口部の位置を可な限り奥側とするのに有効となる。また、排水管（３４）の先端を排水管接続管部（３２）の径拡大部（３２ｂ）に挿入可能とすると、排水管（３４）を接続する際の位置決めが容易となる。つまり、排水管（３４）の先端を径拡大部（３２ｂ）の端部において排水管接続管部（３２）に突き当たるまで挿入することにより、排水管（３４）の接続位置が定まる。従って、作業者は、手元の感覚でこれを確認することができ、位置決めは容易となる。
【０００５】
このようにすることで、ゴミ収容性能を保持しつつ、流し台のシンク下部の収納部の容量を確保するのに好適な流し台シンク用の排水トラップであるが、排水管（３４）の下端には、排水接続口が一つであり床下配水管に接続する際に、上下の位置合わせのために蛇腹管を用いて接続し、余分な蛇腹管は収納部内に置いておくのが一般的であった。
【０００６】
【発明が解決しようとする課題】
本発明は上記問題点の解決を目的とするものであり、防臭性能を保持しつつ、流し台のシンク下部の収納部の容量を確保するのに好適で、しかも蛇腹管を用いることもなく床下配水管への接続が簡便な流し台シンク用の排水トラップを提供するものである。
【０００７】
【課題を解決するための手段】
本発明の請求項１記載の流し台シンク用の排水トラップは、ゴミ収容器収納部を排水トラップ本体上部に、封水部を排水トラップ本体下部に有し、封水部は、排水トラップ本体底部から上方に立ち上がる立ち上がり管部と、該立ち上がり管部の上方より覆いかぶさるように配設されるわん状の防臭器とからなる流し台シンク用の排水トラップにおいて、封水部は、その中心軸をゴミ収容器収納部の中心軸からずらして配設され、この封水部の立ち上がり管部の下端に一端が内方に中心軸をずらして垂直方向に第一排水管接続部が設けられ且つ他端が外方に向かって水平方向に第二排水管接続部が設けられていることを特徴とするものである。
【０００８】
したがって、防臭性能を保持しつつ、流し台のシンク下部の収納部の容量を確保するのに好適で、しかも二つの排水管接続部を設けることで、蛇腹管を用いることもなく床下配水管への接続が簡便な流し台シンク用の排水トラップを得ることができる。
【０００９】
本発明の請求項２記載の流し台シンク用の排水トラップは、請求項１記載の排水トラップの中心軸線と第一排水管接続部の中心軸線との距離をＸとし、第二排水管接続部に９０度エルボを接続して下方に第三排水管接続部を形成し、排水トラップの中心軸線と該第三排水管接続部の中心軸線との距離をＹとし、略Ｙ＝２Ｘなる関係に第一、第三排水管接続部を配設することを特徴とするものである
【００１０】
したがって、防臭性能を保持しつつ、排水トラップの中心軸線と該第三排水管接続部の中心軸線との距離をＹとし、略Ｙ＝２Ｘなる関係に第一、第三排水管接続部を配設することで、奥側に第三排水管接続部を配設することができるので、流し台のシンク下部の収納部の容量を確保することができ、しかも蛇腹管を用いることもなく床下配水管への接続が簡単となる。
【００１１】
本発明の請求項３記載の流し台シンク用の排水トラップは、請求項１又は請求項２記載の第一排水管接続部又は第三排水管接続部のいずれかに上下端に直管部からなり途中に傾斜部を設けた回転自在の配水管の上端を接続するとともに下端を床下配水管に接続することを特徴とするものである。
【００１２】
したがって、床下配水管の取付け位置が多少ずれても配水管を回転して位置決めすることにより、位置合わせが簡単にできる。このとき、一方の排水管接続部はキャップで排水されないように閉じられる。
【００１３】
【発明の実施の形態】
図１乃至図６に示したように、本発明の一実施形態に係わる流し台シンク用の排水トラップであって、以下に説明する。
【００１４】
ゴミ収容器収納部１を排水トラップ本体２の上部に、封水部３を排水トラップ本体２の下部に有し、封水部３は、排水トラップ本体２の底部から上方に立ち上がる立ち上がり管部４と、該立ち上がり管部４の上方より覆いかぶさるように配設されるわん状の防臭器５とからなる流し台シンク用の排水トラップＡにおいて、封水部３は、その中心軸をゴミ収容器収納部１の中心軸からずらして配設され、この封水部３の立ち上がり管部４の下端に一端が内方に中心軸をずらして垂直方向に第一排水管接続部６が設けられ且つ他端が外方に向かって水平方向に第二排水管接続部７が設けられているものである。この第一排水管接続部６と第二排水管接続部７により、防臭性能を保持しつつ、流し台のシンク下部の収納部１１の容量を確保するのに好適となる。
【００１５】
そして、上記排水トラップＡの中心軸線と第一排水管接続部６の中心軸線との距離をＸとし、第二排水管接続部７に９０度エルボ８を接続して下方に第三排水管接続部９を形成し、排水トラップＡの中心軸線と該第三排水管接続部９の中心軸線との距離をＹとし、略Ｙ＝２Ｘなる関係に第一、第三排水管接続部６、９を配設するものである。このように、排水トラップＡの中心軸線と該第三排水管接続部９の中心軸線との距離をＹとし、略Ｙ＝２Ｘなる関係に第一、第三排水管接続部６，９を配設することで、奥側に第三排水管接続部９を配設することができるので、流し台Ｂのシンク１０の下部の収納部１１の容量を確保することができる。
【００１６】
第一排水管接続部６又は第三排水管接続部９のいずれかに上下端に直管部１２からなり途中に傾斜部１３を設けた回転自在の配水管１４の上端を接続するとともに下端を床下配水管１５に直管で接続することができる。床下配水管１５との接続は、第一排水管接続部６又は第三排水管接続部９の取付け位置が多少ずれても配水管１４を回転して位置決めすることにより、位置合わせが簡単にできるものである。
【００１７】
以下、本発明の一実施例に係わる図１乃至図６に基づいて詳細に説明する。
図１は，流し台Ｂの平面図、図２は、流し台Ｂの正面図、図３は、図２のＸーＸ縦断面図、図４は、流し台シンク用の排水トラップの拡大断面図であり、図５は、９０度エルボの縦断面図、図６は、上下端に直管部からなり途中に傾斜部を設けた回転自在の配水管の縦断面図である。
（実施例１）
【００１８】
図１乃至図４において、流し台Ｂは、皿等の洗い水を貯めるシンク１０と排水口１６からなり、この排水口１６の下端には、排水トラップＡが設けられ、この排水トラップＡの排水管接続部に直管を床下配水管１５まで接続するようにしたものである。
【００１９】
この流し台Ｂの排水トラップＡは、筒状に形成したゴミ収容器収納部１を排水トラップ本体２の上部に、封水部３を排水トラップ本体２の下部に有し、封水部３は、排水トラップ本体２の底部から上方に立ち上がる立ち上がり管部４と、該立ち上がり管部４の上方より覆いかぶさるように配設されるわん状の防臭器５とからなるものである。このとき、封水部３は、その中心軸をゴミ収容器収納部１の中心軸からずらして配設され、この封水部３の立ち上がり管部４の下端に一端が内方に中心軸をずらして垂直方向に第一排水管接続部６が設けられ且つ他端が外方に向かって水平方向に第二排水管接続部７が設けられている。この第一排水管接続部６と第二排水管接続部７により、防臭性能を保持しつつ、流し台のシンク下部の収納部１１の容量を確保するのに好適となる。
【００２０】
尚、これらの第一排水管接続部６と第二排水管接続部７は、合成樹脂製や金属製等が用いられる。
【００２１】
そして、上記排水トラップＡの中心軸線と第一排水管接続部６の中心軸線との距離をＸとし、第二排水管接続部７に９０度エルボ８を接続して下方に第三排水管接続部９を形成し、排水トラップＡの中心軸線と該第三排水管接続部９の中心軸線との距離をＹとし、略Ｙ＝２Ｘなる関係に第一、第三排水管接続部６、９を配設するものである。このように、排水トラップＡの中心軸線とこの第三排水管接続部９の中心軸線との距離をＹとし、略Ｙ＝２Ｘなる関係に第一、第三排水管接続部６，９を配設することで、奥側に第三排水管接続部９を配設することができるので、流し台Ｂのシンク１０の下部の収納部１１の容量を確保することができる。
【００２２】
第一排水管接続部６又は第三排水管接続部９のいずれかに上下端に直管部１２からなり途中に傾斜部１３を設けた回転自在の配水管１４の上端を接続するとともに下端を床下配水管１５に直管で接続することができる。したがって、蛇腹管を配設することもないので収納スペースが確保できる。床下配水管１５との接続は、第一排水管接続部６又は第三排水管接続部９の取付け位置が多少ずれても配水管１４を回転して位置決めすることにより、位置合わせが簡単にできる。
【００２３】
このとき、図４に示した詳細図のように、排水トラップＡの中心軸線と第一排水管接続部６の中心軸線との距離をＸとし、第二排水管接続部７に９０度エルボ８を接続して下方に第三排水管接続部９を形成し、排水トラップＡの中心軸線と該第三排水管接続部９の中心軸線との距離をＹとし、略Ｙ＝２Ｘなる関係とすることで、流し台Ｂのスペースが確保され、さらに、回転自在の配水管１４の下端の中心軸線とが第三排水管接続部９の中心軸線との管の距離をＺとするとＹ≦Ｘ＋Ｚ、Ｙ＞Ｚ、Ｙ＞Ｘとなる関係式で第一排水管接続部６及び第三排水管接続部９、配水管１４の位置関係に配置することで、この配水管１４の回転半径を規制することができる。これにより、第一排水管接続部６又は第三排水管接続部９のいずれかに同形状の配水管１４の上端を接続しても、床下配水管１５に配水管１４に簡単に接続することができるものである。例えばＸ＝５０ｍｍ、Ｙ＝１００ｍｍ、Ｚ＝５０ｍｍにすることで目的が達成可能となる。
したがって、蛇腹管を接続することもないので収納部分に余分な蛇腹管を巻いておくこともないので、収納スペースが確保できる。
【００２４】
【発明の効果】
上述の如く、本発明の請求項１記載の流し台シンク用の排水トラップは、封水部は、その中心軸をゴミ収容器収納部の中心軸からずらして配設され、この封水部の立ち上がり管部の下端に一端が内方に中心軸をずらして垂直方向に第一排水管接続部が設けられ且つ他端が外方に向かって水平方向に第二排水管接続部が設けられているので、防臭性能を保持しつつ、流し台のシンク下部の収納部の容量を確保するのに好適で、しかも二つの排水管接続部を設けることで、蛇腹管を用いることもなく床下配水管への接続が簡便な流し台シンク用の排水トラップを得ることができる。
【００２５】
本発明の請求項２記載の流し台シンク用の排水トラップは、排水トラップの中心軸線と第一排水管接続部の中心軸線との距離をＸとし、第二排水管接続部に９０度エルボを接続して下方に第三排水管接続部を形成し、排水トラップの中心軸線と該第三排水管接続部の中心軸線との距離をＹとし、略Ｙ＝２Ｘなる関係に第一、第三排水管接続部を配設するので、防臭性能を保持しつつ、排水トラップの中心軸線と該第三排水管接続部の中心軸線との距離をＹとし、略Ｙ＝２Ｘなる関係に第一、第三排水管接続部を配設することで、奥側に第三排水管接続部を配設することができるので、流し台のシンク下部の収納部の容量を確保することができ、しかも蛇腹管を用いることもなく床下配水管への接続が簡単となる。
【００２６】
本発明の請求項３記載の流し台シンク用の排水トラップは、第一排水管接続部又は第三排水管接続部のいずれかに上下端に直管部からなり途中に傾斜部を設けた回転自在の配水管の上端を接続するとともに下端を床下配水管に接続しているので、床下配水管の取付け位置が多少ずれても配水管を回転して位置決めすることにより、位置合わせが簡単にできる。このとき、一方の排水管接続部はキャップで排水されないように閉じられる。
【図面の簡単な説明】
【図１】本発明の一実施例に係わる流し台シンク用の排水トラップの平面図である。
【図２】本発明の一実施例に係わる流し台シンク用の排水トラップの正面図である。
【図３】本発明の一実施例に係わる図２のＸーＸ縦断面図である。
【図４】本発明の一実施例に係わる流し台シンク用の排水トラップの拡大断面図である。
【図５】本発明の一実施例に係わる流し台シンク用の９０度エルボの縦断面図である。
【図６】本発明の一実施例に係わる流し台シンク用の上下端に直管部からなり途中に傾斜部を設けた回転自在の配水管の縦断面図である。
【図７】従来の排水トラップを流し台及びシンクとともに示した縦断面図である。
【図８】従来の流し台シンク用の排水トラップの縦断面図である。
【符号の説明】
Ａ　　　排水トラップ
Ｂ　　　流し台
１　　　ゴミ収容器収納部
２　　　排水トラップ本体
３　　　封水部
４　　　立ち上がり管部
５　　　防臭器
６　　　第一排水管接続部
７　　　第二排水管接続部
８　　　９０度エルボ
９　　　第三排水管接続部
１０　　シンク
１１　　収納部
１２　　直管部
１３　　傾斜部
１４　　配水管
１５　　床下配水管
１６　　排水口
【図１】
2004052416.tif 000003
【図２】
2004052416.tif 000004
【図３】
2004052416.tif 000005
【図４】
2004052416.tif 000006
【図５】
2004052416.tif 000007
【図６】
2004052416.tif 000008
【図７】
2004052416.tif 000009
【図８】
2004052416.tif 000010